(57)【要約】【課題】  ライトガイドコネクターを接続したときにコネクターの露出を防ぐ内視鏡光源装置用アダプターを提供する。【解決手段】  アダプター２０は、内視鏡用光源装置の照明光出射口と、内視鏡のライトガイドコネクターとの間に配設され、両者を接続する。このアダプター２０は、コネクター４ｂが挿脱可能に挿入されるコネクター受部３４を有するコネクター接続ユニット２０ｂと、このコネクター接続ユニット２０ｂに対して突出してコネクター４ｂの周囲を覆うセット位置と、コネクター接続ユニット２０ｂに対して近接した待機位置との間でスライド可能に設けられた保護部材４５と、コネクター受部３４にコネクター４ｂが挿入されるコネクター接続時に保護部材４５を待機位置からセット位置に移動させる保護カバー移動機構とを備えている。【選択図】    図７
2005027949.tif 000002
【特許請求の範囲】
【請求項１】
内視鏡用光源装置の照明光出射口と、内視鏡のライトガイドコネクターとの間に配設され、両者を接続するための内視鏡光源装置用アダプターにおいて、
前記コネクターが挿脱可能に挿入されるコネクター受部を有するアダプター本体と、
前記アダプター本体に対して突出して前記コネクターの周囲を覆うセット位置と、前記アダプター本体側の待機位置との間でスライド可能に設けられた保護カバーと、
前記コネクター受部に前記コネクターが挿入されるコネクター接続動作に連動して前記保護カバーを前記待機位置からセット位置に移動させる保護カバー移動機構と
を具備することを特徴とする内視鏡光源装置用アダプター。
【請求項２】
前記保護カバー移動機構は、
前記保護カバーを前記セット位置方向に付勢する付勢手段と、
前記保護カバーを待機位置で係止する係止手段と、
前記ライトガイドコネクターが前記コネクター受部に挿入される挿入軌道内に前記保護カバーが待機位置のときに配置された状態で前記コネクターが前記コネクター受部に挿入されると、前記コネクターが当接されて前記コネクターの挿入軌道内から押し出される当接部材と、
この当接部材の動作に連動して前記保護カバーを前記係止手段の係止を解除する方向に押圧する押圧部材と
を備えていることを特徴とする請求項１に記載の内視鏡光源装置用アダプター。
【請求項３】
前記アダプター本体は、異なる形状を有する複数種のライトガイドコネクターをそれぞれ受容する複数のコネクター受部を備えていることを特徴とする請求項１もしくは請求項２に記載の内視鏡光源装置用アダプター。
【発明の詳細な説明】
【技術分野】
【０００１】
この発明は、内視鏡用光源装置の照明光出射口と、内視鏡のライトガイドコネクターとの間に配設される内視鏡光源装置用アダプターに関する。
【背景技術】
【０００２】
内視鏡の挿入部の先端部から被写体を照射する照明光を供給するために使用される内視鏡用の光源装置が一般に知られている。内視鏡のライトガイドコネクターには、照明光を導光するライトガイドの端部が突設されている。このライトガイドの端部には、金属材製の管状体内に光ファイバーが多数束ねられたライトガイドファイバー束が収容されている。また、光源装置の照明光出射口と内視鏡のライトガイドコネクターとの間は、内視鏡光源装置用アダプター（以下、アダプターという）を介して接続されることがある。
【０００３】
例えば特許文献１には、内視鏡用光源装置が開示されている。この光源装置の前面パネルには、内視鏡のライトガイドコネクターを接続するための複数のソケットを備えている。各ソケットはそれぞれ異なる形状を備えているので、この光源装置には内視鏡の種類やメーカーによって様々な形状を有するライトガイドコネクターを接続することができる。
【特許文献１】特開平１−４５８９１号公報
【発明の開示】
【発明が解決しようとする課題】
【０００４】
内視鏡のライトガイドコネクターを特許文献１に開示された光源装置のアダプター（ソケット）に接続すると、ライトガイドコネクターの形状によっては、アダプターからコネクターの一部（例えば金属材製の管状体の一部）が外部に露出された状態で保持される場合がある。この状態で光源装置の照明光出射口から出射された光がライトガイドコネクターのライトガイドファイバー束の端部に入射されると、入射光の一部がコネクターを照射してライトガイドコネクターの管状体を高温にすることがある。このため、アダプターの外部に露出されている部分を覆う必要がある。
【０００５】
この発明は、このような課題を解決するためになされたもので、その目的は、ライトガイドコネクターを接続したときにコネクターの露出を防ぐ内視鏡光源装置用アダプターを提供することにある。
【課題を解決するための手段】
【０００６】
上記課題を解決するために、この発明に係わる内視鏡光源装置用アダプターは、内視鏡用光源装置の照明光出射口と、内視鏡のライトガイドコネクターとの間に配設され、両者を接続する。このアダプターは、前記コネクターが挿脱可能に挿入されるコネクター受部を有するアダプター本体と、前記アダプター本体に対して突出して前記コネクターの周囲を覆うセット位置と、前記アダプター本体側の待機位置との間でスライド可能に設けられた保護カバーと、前記コネクター受部に前記コネクターが挿入されるコネクター接続動作に連動して前記保護カバーを前記待機位置からセット位置に移動させる保護カバー移動機構とを備えていることを第１の特徴とする。  
このような構成を有するので、ライトガイドコネクターをアダプターのコネクター受部に接続するときにライトガイドコネクターを覆うことができる。
【０００７】
また、前記保護カバー移動機構は、前記保護カバーを前記セット位置方向に付勢する付勢手段と、前記保護カバーを待機位置で係止する係止手段と、前記ライトガイドコネクターが前記コネクター受部に挿入される挿入軌道内に前記保護カバーが待機位置のときに配置された状態で前記コネクターが前記コネクター受部に挿入されると、前記コネクターが当接されて前記コネクターの挿入軌道内から押し出される当接部材と、この当接部材の動作に連動して前記保護カバーを前記係止手段の係止を解除する方向に押圧する押圧部材とを備えていることを第２の特徴とする。  
このような構成を有するので、ライトガイドコネクターに当接部材が当接されると、押圧部材で保護カバーを押圧して保護カバーの係止を解除してセット位置まで保護カバーを移動させることができる。このため、ライトガイドコネクターをアダプターのコネクター受部に接続するときにライトガイドコネクターを覆うことができる。
【０００８】
また、前記アダプター本体は、異なる形状を有する複数種のライトガイドコネクターをそれぞれ受容する複数のコネクター受部を備えていることを第３の特徴とする。  
このような構成を有するので、１つのアダプターに複数種のライトガイドコネクターを接続することができる。
【発明の効果】
【０００９】
本発明によれば、ライトガイドコネクターを接続したときにコネクターの露出を防ぐ内視鏡光源装置用アダプターを提供することができる。
【発明を実施するための最良の形態】
【００１０】
以下、図面を参照しながらこの発明を実施するための最良の形態について説明する。まず、第１の実施の形態について図１ないし図８を用いて説明する。
【００１１】
図１に示すように、内視鏡装置１は、主に内視鏡２と、この内視鏡２に接続される光源装置３とを備えている。内視鏡２にはライトガイドが内蔵されたライトガイドケーブル４が設けられている。内視鏡２と光源装置３とは、このライトガイドケーブル４を介して接続される。  
内視鏡２には、被検体に挿入される挿入部５が設けられている。この挿入部５の基端部には、挿入部５の先端部から被検体を観察するためのカメラヘッド７が連結されている。このカメラヘッド７には、内視鏡２による被検体の観察像を撮像してこの被検体像を電気信号に変換するＣＣＤ素子（図示せず）が内蔵されている。また、このカメラヘッド７には、カメラコントロールユニット（以下、ＣＣＵという）８が接続されている。このＣＣＵ８には、モニタ９が接続されている。このため、カメラヘッド７内のＣＣＤ素子で被検体像を撮像するとこの被検体像が電気信号に変換されてこの電気信号がＣＣＵ８に伝達される。そして、このＣＣＵ８はその電気信号を処理してモニタ９に電気信号（映像信号）を送信し、モニタ９上に被検体の被写体像を表示する。
【００１２】
上述した光源装置３は、ランプ１１と、このランプ１１の出射光を絞る絞り１２と、この絞り１２の絞り量を制御（調整）する調光回路１３とを備えている。この調光回路１３は、被写体１５の明るさが一定になるように絞り１２を制御する。このため、ランプ１１から光源装置３の外部に出射される光の明るさが調整される。そして、このランプ１１の出射光は、絞り１２、ライトガイドケーブル４、内視鏡２を介して被写体１５を照明する。内視鏡２によって撮影される被写体１５の映像は、カメラヘッド７内のＣＣＤ素子により電気信号に変換され、ＣＣＵ８で信号処理された後、モニタ９に映像信号を送ることによって観察される。
【００１３】
図２に示すように、この光源装置３の筐体３ａは、コネクターソケット２２を備えている。このコネクターソケット２２は、２つのソケット孔２４，２５を備えている。２つのソケット孔２４，２５のうち、１つのソケット孔２４の一端部２４ａは、上述した図１に示すランプ１１からの出射光が絞り１２を介して出射される位置にある。すなわち、このソケット孔２４は、ランプ１１の光軸上にある。また、他のソケット孔２５の一端部は閉塞されている。コネクターソケット２２は、これらソケット孔２４，２５の他端部に後述する光源装置接続部２０ａの接続部本体３０が配設される照明光出射口２６を備えている。
【００１４】
光源装置３のコネクターソケット２２には、内視鏡２の後述するライトガイドコネクター４ｂに光を導くための内視鏡光源装置用アダプター（以下、アダプターという）２０が接続される。図３および図４に示すように、アダプター２０は、光源装置３のコネクターソケット２２に着脱可能に連結される光源装置接続部２０ａと、内視鏡２の後述するライトガイドコネクター４ｂが接続されるコネクター接続ユニット２０ｂとを備えている。
【００１５】
光源装置接続部２０ａは、略円柱状の接続部本体３０を備えている。この接続部本体３０の一端面には、レンズコネクター３１と位置決め用軸部材３２とが突設されている。これらレンズコネクター３１および位置決め用軸部材３２は、この接続部本体３０の一端面からそれぞれ同じ方向に突出されている。位置決め用軸部材３２は、レンズコネクター３１よりも接続部本体３０からの突出長が短く形成されている。
【００１６】
図５および図６に示すように、光源装置３とアダプター２０との連結時には、接続部本体３０は、光源装置３のソケット２２の照明光出射口２６に連結される。位置決め用軸部材３２は、他のソケット孔２５に挿入される。レンズコネクター３１は、光源装置３のソケット孔２４に挿入される。なお、このとき、ソケット孔２４がランプ１１の光軸上にあるので、レンズコネクター３１は、ランプ１１の光軸上に配設される。
【００１７】
図４に示すように、接続部本体３０の外周面の一部には、径方向に拡縮する係止リング２８が設けられている。この係止リング２８は、径方向外方に向けて付勢されている。このため、光源装置３のソケット２２（照明光出射口２６）にアダプター２０の光源装置接続部２０ａが連結されると、係止リング２８がソケット２２の照明光出射口２６の壁部に係止される。
【００１８】
レンズコネクター３１は、金属部材で形成された接続管３１ａと、この接続管３１ａの内部に配設されたレンズ部３１ｂとを備えている。接続管３１ａの外周面の一部には、径方向に拡縮する係止リング３３が設けられている。この係止リング３３は、径方向外方に向けて付勢されている。このため、光源装置３のソケット２２のソケット孔２４に接続管３１ａが配設されると、係止リング３３がソケット孔２４の壁部に係止される。
【００１９】
光源装置接続部２０ａの接続部本体３０の他端面には、シャフト３６が突設されている。このシャフト３６には、コネクター接続ユニット２０ｂがシャフト３６の軸回りに回転可能に連結されている。具体的には、このコネクター接続ユニット２０ｂは、シャフト３６（コネクター接続ユニット２０ｂの中心）の外周に接触する玉軸受３７によって回転可能に支持されている。すなわち、このコネクター接続ユニット２０ｂは、シャフト３６を中心軸として回転する。なお、このコネクター接続ユニット２０ｂは、図示しないが、所望の回転位置で固定される固定状態と、固定が解除され、自由に回転可能な回転可能状態とに切り替えられる切替機構を備えている。
【００２０】
図３（Ｂ）に示すように、このコネクター接続ユニット２０ｂには、４つのコネクター受部３４が設けられている。これらコネクター受部３４は、コネクター接続ユニット２０ｂに同一の中心（シャフト３６）を有する同一の円周上に略等間隔に配置されているとともに、それぞれ円孔として形成されている。各コネクター受部３４は、コネクター接続ユニット２０ｂの中心軸に対して平行な軸を備えている。コネクター接続ユニット２０ｂが光源装置接続部２０ａに対して回転させられると、４つのコネクター受部３４のうちの選択された１つのコネクター受部３４は、レンズコネクター３１と同一軸上に配置される。
【００２１】
コネクター受部３４がコネクター接続ユニット２０ｂに複数設けられているのは、それぞれ異なる形状を有するライトガイドコネクター４ｂ（後述）を上述したレンズコネクター３１上に配置するためである。所望のコネクター受部３４がレンズコネクター３１と同一軸上に配置された場合、切替機構を操作して光源装置接続部２０ａに対する回転を規制する。
【００２２】
図４に示すように、各コネクター受部３４には、コネクター受部３４の壁部からコネクター受部３４の内方に向かって付勢された接触バネ３５がそれぞれ配設されている。後述するライトガイドコネクター４ｂがコネクター受部３４に挿入されると、ライトガイドコネクター４ｂの外周にはこの接触バネ３５が当接されてその付勢力により保持される。
【００２３】
また、コネクター接続ユニット２０ｂの外周には、保護部材（コネクター保護カバー）４５がコネクター接続ユニット２０ｂの中心軸方向に沿ってスライド可能に配設されている。この保護部材４５は、略有底円筒状に形成され、コネクター接続ユニット２０ｂの外周を一側から覆っている。この保護部材４５には、コネクター受部３４の開口部に対応した開口４５ａがそれぞれ形成されている。この保護部材４５は、ライトガイドコネクター４ｂが接続されたときにそのライトガイドコネクター４ｂの金属材製の管状体６０を覆う。
【００２４】
コネクター接続ユニット２０ｂの外周面には、保護部材４５の移動を規制する移動規制部（係止手段）として２つの環状溝（第１および第２の環状溝）４７，４８が設けられている。第１の環状溝４７は、光源装置接続部２０ａに近接する位置に設けられ、第２の環状溝４８は、光源装置接続部２０ａに対して離隔した位置に設けられている。一方、保護部材４５の光源装置接続部２０ａに近接する内周面の部位には、環状凸部４９が設けられている。この環状凸部４９は、第１および第２の環状溝４８に係合する。このため、保護部材４５は、コネクター接続ユニット２０ｂの軸方向に対してこのコネクター接続ユニット２０ｂの高さの２倍近くまでスライドする。すなわち、コネクター接続ユニット２０ｂの外周面のほぼ全てを露出させるまでスライドする。
【００２５】
コネクター接続ユニット２０ｂの一端面には、コネクター接続ユニット２０ｂの中心軸に対して同心的に溝部５１が形成されている。この溝部５１には、保護部材４５をコネクター接続ユニット２０ｂから離れる方向に付勢するように円管状のバネ（付勢部材）５２が配設されている。このため、保護部材４５は、コネクター接続ユニット２０ｂのバネ５２によって光源装置３のソケット２２に対して離隔する方向に付勢されている。このとき、第１の環状溝４７と環状凸部４９との係合が解除されると、保護部材４５は、コネクター接続ユニット２０ｂの軸方向に沿ってスライドして第２の環状溝４８と環状凸部４９とが係合される。
【００２６】
コネクター接続ユニット２０ｂには、コネクター接続ユニット２０ｂに対して保護部材４５を所定の範囲内でスライドさせる移動機構（保護カバー移動機構）が設けられている。移動機構として、コネクター接続ユニット２０ｂには、通路５５が形成されている。この通路５５は、各コネクター受部３４の近傍でコネクター受部３４の軸方向に対して平行に形成されている。すなわち、この通路５５は、コネクター接続ユニット２０ｂの中心軸に対して平行に形成されている。また、この通路５５は、光源装置接続部２０ａに対して離隔した側が開口されている。この通路５５には、この通路５５内を移動する移動部材として硬質の駆動棒（保護カバー押圧部材）５６が配設されている。この駆動棒５６の先端側には、駆動棒５６を通路５５内に沿って移動させるように、例えば長方形状の面を有する回動部材５７がコネクター接続ユニット２０ｂに枢支されている。この回動部材５７は、一方（一端部）が駆動棒５６の先端を平面で受けるように当接される。また、回動部材５７の枢支軸に対して対称となる位置（他端部）は、コネクター受部３４の孔内に露出される位置と、孔内から外れる位置との間を回動する。
【００２７】
なお、図７（Ａ）に示すように、コネクター接続ユニット２０ｂの第１の環状溝４７と保護部材４５の環状凸部４９とが係合されているときには、駆動棒５６の基端は保護部材４５の内周面に当接された状態、または、コネクター接続ユニット２０ｂに対して没した状態にある。このときの駆動棒５６の先端は、回動部材５７に当接された状態にある。
【００２８】
また、図７（Ｂ）に示すように、コネクター接続ユニット２０ｂの第２の環状溝４８と保護部材４５の環状凸部４９とが係合された状態では、駆動棒５６の基端はフリーの状態にあるとともに、コネクター接続ユニット２０ｂから突出した状態にある。このときの駆動棒５６の先端は、回動部材５７に当接された状態にある。
【００２９】
図７（Ａ）および図７（Ｂ）に示すように、ライトガイドケーブル４は、ライトガイドケーブル本体４ａと、ライトガイドコネクター４ｂとを備えている。このライトガイドコネクター４ｂは、ライトガイドケーブル本体４ａに接続されている。ライトガイドコネクター４ｂは、多数束ねられたライトガイドファイバー束（図示せず）の外周を金属材製の管状体６０で覆っている。この管状体６０の外周面の一部には、径方向に拡縮する係止リング６１が設けられている。この係止リング６１は、コネクター受部３４に係止されるように径方向外方に付勢されている。なお、ライトガイドコネクター４ｂの管状体６０の長さは、コネクター接続ユニット２０ｂのコネクター受部３４に配設される長さよりも長い。また、この管状体６０の長さは、管状体６０の全体が覆われるように、コネクター接続ユニット２０ｂの高さの２倍よりも小さいものが使用されることが好ましい。すなわち、ライトガイドコネクター４ｂがコネクター接続ユニット２０ｂのコネクター受部３４に配設されたとき、管状体６０の外周面のほぼ全てが保護部材４５によって覆われることが好ましい。
【００３０】
次に、この実施の形態に係わる内視鏡光源装置用アダプター２０の作用について説明する。
【００３１】
図４に示すアダプター２０の光源装置接続部２０ａのレンズコネクター３１および位置決め用軸部材３２をそれぞれ図２に示す光源装置３のコネクターソケット２２の照明光出射口２６を通してソケット孔２４，２５にそれぞれ挿入する。そして、図６に示すように、アダプター２０の光源装置接続部２０ａの接続部本体３０を光源装置３の照明光出射口２６に接続する。このとき、レンズコネクター３１の係止リング３３がその付勢力によりソケット孔２４の壁部に係止されるとともに、接続部本体３０の係止リング２８がその付勢力によりソケット２２の照明光出射口２６の壁部に係止される。また、レンズコネクター３１および軸部材３２がそれぞれソケット孔２４，２５に配設されている。このため、アダプター２０の光源装置接続部２０ａ（接続部本体３０）が光源装置３の照明光出射口２６に対して回転することが防止される。すなわち、アダプター２０が光源装置３に接続される（図５および図６参照）。
【００３２】
そして、このように光源装置３にアダプター２０が接続されたとき、アダプター２０のコネクター接続ユニット２０ｂは、保護部材４５の環状凸部４９と、コネクター接続ユニット２０ｂの第１の環状溝４７とが係止された待機状態（待機位置）にある（図６参照）ものとする。
【００３３】
コネクター接続ユニット２０ｂを保護部材４５とともにシャフト３６の軸回りに回転させる。そして、使用する内視鏡２のライトガイドコネクター４ｂに適合するコネクター受部３４を光源装置接続部２０ａのレンズコネクター３１と同一軸上に配置する。その後、切替機構を操作してコネクター接続ユニット２０ｂが光源装置接続部２０ａの接続部本体３０に対して回転することを規制する。
【００３４】
図７（Ａ）に示すように、内視鏡２のライトガイドコネクター４ｂをレンズコネクター３１上に配置されたコネクター接続ユニット２０ｂのコネクター受部３４に挿入する。すると、ライトガイドコネクター４ｂの先端に回動部材（当接部材）５７の一端部が当接する。ライトガイドコネクター４ｂをコネクター受部３４に押し込む押し込み力によって図７（Ａ）中に示す回動部材５７が時計回り方向に回動する。そうすると、回動部材５７の他端部に先端が当接された駆動棒５６が通路に沿って移動する。この駆動棒５６の移動方向は保護部材４５を押し出す方向、すなわち、ライトガイドコネクター４ｂがコネクター受部３４に挿入される挿入方向に対して反対の方向である。したがって、駆動棒５６の基端はコネクター接続ユニット２０ｂに対して突出してこの駆動棒５６の基端で保護部材４５を押圧する。この押圧方向は、ライトガイドコネクター４ｂがコネクター受部３４に挿入される挿入方向に対して反対の方向である。なお、このとき、ライトガイドコネクター４ｂの管状体６０は、コネクター接続ユニット２０ｂの外部に突出している。
【００３５】
保護部材４５が駆動棒５６の基端によって押圧されると、保護部材４５の環状凸部４９がコネクター接続ユニット２０ｂの第１の環状溝４７を乗り越える。すなわち、第１の環状溝４７に係合された環状凸部４９の係合が解除される。この保護部材４５は、バネ５２によって付勢されて保護部材４５の環状凸部４９が第２の環状溝４８に係合されるセット位置までスライドする。そうすると、ライトガイドコネクター４ｂの管状体６０が保護部材４５で覆われる。
【００３６】
そして、図７（Ｂ）に示すように、ライトガイドコネクター４ｂをコネクター接続ユニット２０ｂのコネクター受部３４に対してそれ以上の挿入ができなくなるまで挿入する。このとき、ライトガイドコネクター４ｂの管状体６０の外周に設けられた係止リング６１でコネクター受部３４を径方向外方に付勢して係止する。すなわち、ライトガイドコネクター４ｂをコネクター接続ユニット２０ｂのコネクター受部３４に装着する。
【００３７】
この状態で、光源装置３のランプ１１から絞り１２を通し、レンズコネクター３１のレンズ部３１ｂから光を出射して管状体６０に覆われたライトガイドコネクター４ｂのライトガイドファイバーに光を導く。そうすると、内視鏡２の挿入部５の先端部から被写体を照射し、照射された被写体１５をカメラヘッド７内のＣＣＤ素子で撮像してＣＣＵ８を通してモニタ９に被写体１５の像を表示する。
【００３８】
一方、ライトガイドコネクター４ｂをアダプター２０のコネクター受部３４から取り外す場合、内視鏡２の操作者は、保護部材４５をそのセット位置からライトガイドコネクター４ｂの接続（挿入）方向に押圧する。すると、保護部材４５の環状凸部４９がコネクター接続ユニット２０ｂの第２の環状溝４８を乗り越える。すなわち、第１の環状溝４７に係合された環状凸部４９の係合が解除される。そして、保護部材４５をさらに押圧していくと、駆動棒５６の基端が保護部材４５の内周面に当接される。このため、駆動棒５６が通路５５に沿って先端方向に押圧される。すると、駆動棒５６の先端が当接された図７（Ａ）中に示す回動部材５７が反時計回り方向に回動する。そして、コネクター接続ユニット２０ｂの第１の環状溝４７に保護部材４５の環状凸部４９を係合させる。このとき、回動部材５７とライトガイドコネクター４ｂの先端とが接触し、回動部材５７の反時計回り方向の回動力によってライトガイドコネクター４ｂを抜去（取り外し）方向に押し出す。また、このとき、コネクター受部３４から係止リング６１の付勢力に抗してライトガイドコネクター４ｂを引き抜く。その後、ライトガイドコネクター４ｂをコネクター接続ユニット２０ｂのコネクター受部３４から完全に抜去する。そうすると、保護部材４５は、コネクター接続ユニット２０ｂに対して待機位置に戻る。
【００３９】
以上説明したように、この実施の形態によれば、以下の効果が得られる。  
アダプター２０を光源装置３の照明光出射口２６に接続し、アダプター２０の保護部材４５を待機状態としてコネクター受部３４にライトガイドコネクター４ｂを装着する。すると、回動部材５７が回動して駆動棒５６を移動させて保護部材４５を押圧することができる。このため、コネクター接続ユニット２０ｂの第１の環状溝４７と、保護部材４５の環状凸部４９との係合が解除され、保護部材４５をバネ５２の付勢力によりコネクター接続ユニット２０ｂに沿って第２の環状溝４８までスライドさせることができる。そして、第２の環状溝４８と環状凸部４９とが係合されるセット状態となると、保護部材４５でコネクター４ｂの管状体６０を覆った状態となる。すなわち、ライトガイドコネクター４ｂがコネクター受部３４に装着されると、光が導かれて高温になることがある管状体６０を覆うことができる。このため、使用中に術者が高温の管状体６０に触れることを防止することができ、安全に使用することができる。また、内視鏡光源装置用アダプター２０に異なる形状のライトガイドコネクター４ｂを接続したときであっても、ライトガイドコネクター４ｂの管状体６０に触れることを防止し、安全に使用することができる。また、ライトガイドコネクター４ｂの取り付け時に保護部材４５を自動的にワンタッチで容易に係止状態を解除することができる。さらに、ライトガイドケーブル４を使用しないとき、すなわち、ライトガイドコネクター４ｂをアダプター２０のコネクター受部３４に装着していないときには、アダプター２０を第１の環状溝４７と環状凸部４９とを係合させた待機状態とすることができる。そうすると、内視鏡光源装置用アダプター２０は、その外観サイズをコンパクトにすることができる。
【００４０】
なお、この実施の形態では、コネクター接続ユニット２０ｂにバネ５２を設け、バネ５２の付勢力で保護部材４５をコネクター接続ユニット２０ｂに対してスライドさせるようにした。その他、保護部材４５をコネクター接続ユニット２０ｂに対して所望の位置までスライドさせるには、保護部材４５を操作者が手で把持してスライドさせても良い。
【００４１】
また、回動部材５７は駆動棒５６と共同してライトガイドコネクター４ｂがコネクター接続ユニット２０ｂのコネクター受部３４に装着されたことを検知するとともに、装着が解除されたことを検知する検知部材としても機能する。
【００４２】
なお、図３（Ｂ）および図５に示すように、アダプター２０のコネクター受部３４は、それぞれ異なる形状で４つ設けられている。これらコネクター受部３４が４つ設けられているのは、それぞれ異なる形状を有するライトガイドコネクター４ｂを受容するためである。図８（Ａ）ないし図８（Ｆ）は異なる形状を有するライトガイドコネクター４ｂをコネクター接続ユニット２０ｂ内のコネクター受部３４にそれぞれ接続した場合の構成図を示す。異なる形状のライトガイドコネクター４ｂの金属材製の管状体６０部分はそれぞれ長いものと短いものがある。図８（Ａ）ないし図８（Ｄ）には管状体６０部分が長いものを示し、図８（Ｅ）および図８（Ｆ）には短いものを示す。短いものに関しては、図８（Ｅ）および図８（Ｆ）に示すように、上述したレンズ部（主レンズ部）３１ｂだけでは照明光が発散して光が効率的に伝達されないため、もう一つ副レンズ部６３がコネクター受部３４内のレンズ部３１ｂとの近傍に設けられている。この副レンズ部６３の一端は、上述したレンズ部３１ｂに近づいた状態で同一軸上に配設されている。この副レンズ部６３の他端は、ライトガイドコネクター４ｂの先端が近づいた状態で配設される。
【００４３】
図８（Ａ）ないし図８（Ｄ）に示すアダプター２０のコネクター接続ユニット２０ｂには、光源装置接続部２０ａのレンズ部３１ｂの近傍までライトガイドコネクター４ｂの先端が近づく。
【００４４】
ここで、図８（Ａ）に示すコネクター受部３４は、上述した図４に示すコネクター受部３４と同じものである。図８（Ｂ）に示すライトガイドコネクター４ｂを受けるコネクター受部３４は、図８（Ａ）に示すコネクター受部３４と段差部の位置がやや異なるとともに、管状体６０を受ける部位の太さが異なる。すなわち、図８（Ａ）に示すライトガイドコネクター４ｂの管状体６０は、図８（Ｂ）に示すライトガイドコネクター４ｂの管状体６０に比べて太い。
【００４５】
図８（Ｃ）および図８（Ｄ）に示すライトガイドコネクター４ｂを受けるアダプター２０のコネクター受部３４は、互いに同じ形状を有する。図８（Ａ）および図８（Ｃ）に示すアダプター２０のコネクター受部３４の形状は、それぞれ段差部の位置が異なる。図８（Ｂ）および図８（Ｃ）に示すアダプター２０のコネクター受部３４の形状は、それぞれ太さが異なる。
【００４６】
また、図８（Ｅ）および図８（Ｆ）に示すライトガイドコネクター４ｂを受けるコネクター受部３４は、互いに同じ形状を有する。このように、図３（Ｂ）および図５に示す４つのコネクター受部３４には、それぞれ異なる形状を有するライトガイドコネクター４ｂが装着される。このため、切替機構を操作してコネクター接続ユニット２０ｂを光源装置接続部２０ａに対して回転させて使用するコネクター受部３４の軸をレンズコネクター３１に一致させる。
【００４７】
したがって、この実施の形態に係わるアダプター２０は、複数種類のライトガイドコネクター４ｂをアダプター２０のコネクター受部３４に適宜に選択して装着して使用することができる。
【００４８】
次に、第２の実施の形態について図９を用いて説明する。この実施の形態は第１の実施の形態の変形例であって、第１の実施の形態と同一の部材には同一の符号を付し、詳しい説明を省略する。  
図９（Ａ）および図９（Ｂ）に示すように、この実施の形態に係わるアダプター２０におけるコネクター接続ユニット２０ｂには、駆動棒５６の先端に当接され、この駆動棒５６を通路５５内に沿って移動させる移動機構としてＬ字状に屈曲形成された回動部材７０が枢支されている。この回動部材７０は、駆動棒５６に当接される部位が第１の実施の形態で説明した回動部材５７と同様に形成されている。ライトガイドコネクター４ｂを接続するときにコネクター受部３４上に露出し、ライトガイドコネクター４ｂの先端に当接される部位は、保護部材４５が待機状態で光源装置３の照明光出射口２６からの光の出射（光漏れ）を防止するように略直角に屈曲された突出部７０ａを備えている。
【００４９】
このため、図９（Ａ）に示すように、ライトガイドコネクター４ｂがコネクター受部３４に完全には接続されていないとき（上述した待機状態のとき）、回動部材７０の突出部７０ａは、コネクター受部３４を閉塞するように突出する。一方、図９（Ｂ）に示すように、ライトガイドコネクター４ｂがコネクター受部３４に接続されたときには、回動部材７０およびその突出部７０ａは光源装置３の光路上（コネクター受部３４内）から側方に除去される。このため、光源装置３の照明光出射口２６から出射された照明光はライトガイドファイバーに入射される。その他の作用は第１の実施の形態と同様であるため、説明を省略する。
【００５０】
以上説明したように、この実施の形態によれば以下の効果が得られる。  
ライトガイドコネクター４ｂが未接続のとき、光源装置３による照明光の光漏れを防止することができる。その他の効果は、第１の実施の形態と同様であるため、記載を省略する。
【００５１】
これまで、いくつかの実施の形態について図面を参照しながら具体的に説明したが、この発明は、上述した実施の形態に限定されるものではなく、その要旨を逸脱しない範囲で行なわれるすべての実施を含む。
【００５２】
上記説明によれば、下記の事項の発明が得られる。また、各項の組み合わせも可能である。
【００５３】
［付記］
（付記項１）  光源装置との接続用に内視鏡に設けられた複数種の異なる形状のライトガイドコネクターを個々に適合するように複数の接続口をもち、照明光出射口へ接続するための内視鏡光源装置用アダプターにおいて、異なる形状のライトガイドコネクターの接続時にライトガイドコネクター先端で押圧することにより、ライトガイドケーブルの接続を検知し回転する検知部材と、
前記検知手段の回転に伴い、連動してライトガイドコネクター接続方向と並行し、押圧する押出部材と、
前記押出部材と連動してライトガイドコネクターの金属部を覆うように弾性部材によりスライドする保護部材と、
を設けたことを特徴とする内視鏡光源装置用アダプター。
【００５４】
（付記項２）  前記検知部材の一端はライトガイドコネクター未接続時に光源装置による照明光が遮られ、ライトガイドコネクター接続時は前記検知部材が光源装置による照明光の光路上から外れるよう角度を持せることを特徴とする付記項１に記載の内視鏡光源装置用アダプター。
【図面の簡単な説明】
【００５５】
【図１】第１の実施の形態に係わる内視鏡光源装置用アダプターを有する内視鏡装置の構成を示す概略図。
【図２】第１の実施の形態に係わるアダプターが接続される光源装置の断面図。
【図３】第１の実施の形態に係わるアダプターを示し、（Ａ）は側面図、（Ｂ）は（Ａ）に示す矢印３Ｂ方向から見た正面図。
【図４】第１の実施の形態に係わるアダプターを示す断面図。
【図５】第１の実施の形態に係わるアダプターを光源装置に接続した状態を示す概略図。
【図６】第１の実施の形態に係わるアダプターを光源装置に接続した状態を示す概略的な断面図。
【図７】第１の実施の形態に係わるアダプターを示し、（Ａ）はアダプターにライトガイドコネクターを装着するときの状態を示す概略的な断面図、（Ｂ）はアダプターにライトガイドコネクターを装着した状態を示す概略的な断面図。
【図８】第１の実施の形態に係わるアダプターにライトガイドコネクターを装着した状態を示し、（Ａ）ないし（Ｆ）はそれぞれ概略的な断面図。
【図９】第２の実施の形態に係わるアダプターを示し、（Ａ）はアダプターにライトガイドコネクターを装着するときの状態を示す概略的な断面図、（Ｂ）はアダプターにライトガイドコネクターを装着した状態を示す概略的な断面図。
【符号の説明】
【００５６】
４…ライトガイドケーブル、４ａ…ライトガイドケーブル本体、４ｂ…ライトガイドコネクター、２０…内視鏡光源装置用アダプター、２０ａ…光源装置接続部、２０ｂ…コネクター接続ユニット（アダプター本体）、２６…照明光出射口、３１ｂ…レンズ部、３４…コネクター受部、３６…シャフト、３７…玉軸受、４５…保護部材、４７…第１の環状溝、４８…第２の環状溝、４９…環状凸部、５５…通路、５６…駆動棒、５７…回動部材、６０…金属部
【図１】
2005027949.tif 000003
【図２】
2005027949.tif 000004
【図３】
2005027949.tif 000005
【図４】
2005027949.tif 000006
【図５】
2005027949.tif 000007
【図６】
2005027949.tif 000008
【図７】
2005027949.tif 000009
【図８】
2005027949.tif 000010
【図９】
2005027949.tif 000011